【手続補正書】
【提出日】平成31年2月5日(2019.2.5)
【手続補正１】
【補正対象書類名】特許請求の範囲
【補正対象項目名】全文
【補正方法】変更
【補正の内容】
【特許請求の範囲】
【請求項１】
手動操作が可能なレンズ側操作部材と、該レンズ側操作部材の動きを制限するロック状態および該制限を解除するロック解除状態とに切り替え可能なロック機構とを有する光学機器に対して取り外し可能に装着される光学駆動装置であって、
操作部材と、
前記レンズ側操作部材を駆動するアクチュエータと、
前記アクチュエータの駆動を制御する制御手段とを有し、
前記制御手段は、
前記ロック機構が前記ロック解除状態にあるときは前記操作部材の操作に応じて前記アクチュエータを駆動し、
前記ロック機構が前記ロック状態にあるときは前記操作部材の操作に応じた前記アクチュエータの駆動を行わない状態および警告動作を行う状態のうち少なくとも一方になるように前記アクチュエータを制御することを特徴する光学駆動装置。
【請求項２】
前記光学機器は、前記ロック機構が前記ロック状態および前記ロック解除状態にあることを検出する検出手段を有しており、
前記制御手段は、前記検出手段による検出結果を前記光学機器との通信により取得することを特徴とする請求項１に記載の光学駆動装置。
【請求項３】
前記ロック機構が前記ロック状態および前記ロック解除状態にあることを検出する検出手段を有することを特徴とする請求項１に記載の光学駆動装置。
【請求項４】
手動操作が可能なレンズ側操作部材と、該レンズ側操作部材の動きを制限するロック状態および該制限を解除するロック解除状態とに切り替え可能なロック機構とを有し、請求項１から３のいずれか一項に記載の光学駆動装置が取り外し可能に装着されることを特徴とする光学機器。
【請求項５】
該光学機器は、撮像素子を有する撮像装置に取り外し可能に装着され、撮影光学系を有するレンズ装置であり、
前記ロック機構が前記ロック状態にあるときに前記操作部材が操作されたことに応じて、警告情報を前記撮像装置に通信することを特徴する光学機器。
【請求項６】
撮像素子を有し、請求項５に記載のレンズ装置としての光学機器が取り外し可能に装着される撮像装置であって、
前記警告情報を受信することに応じて警告動作を行うことを特徴とする撮像装置。
【請求項７】
手動操作が可能なレンズ側操作部材と、該レンズ側操作部材の動きを制限するロック状態および該制限を解除するロック解除状態とに切り替え可能なロック機構とを有する光学機器に対して取り外し可能に装着され、操作部材と、前記レンズ側操作部材を駆動するアクチュエータとを有する光学駆動装置のコンピュータを動作させるコンピュータプログラムであって、
前記コンピュータに、
前記ロック機構が前記ロック解除状態にあるときは前記操作部材の操作に応じて前記アクチュエータを駆動させ、
前記ロック機構が前記ロック状態にあるときは前記操作部材の操作に応じた前記アクチュエータの駆動を行わない状態および警告動作を行う状態のうち少なくとも一方になるように前記アクチュエータを制御させることを特徴する光学駆動プログラム。
【手続補正２】
【補正対象書類名】明細書
【補正対象項目名】発明の名称
【補正方法】変更
【補正の内容】
【発明の名称】光学駆動装置、光学機器および撮像装置
【手続補正３】
【補正対象書類名】明細書
【補正対象項目名】０００８
【補正方法】変更
【補正の内容】
【０００８】
本発明の一側面としての光学駆動装置は、手動操作が可能なレンズ側操作部材と、該レンズ側操作部材の動きを制限するロック状態および該制限を解除するロック解除状態とに切り替え可能なロック機構とを有する光学機器に対して取り外し可能に装着される。該光学駆動装置は、操作部材と、レンズ側操作部材を駆動するアクチュエータと、該アクチュエータの駆動を制御する制御手段とを有する。制御手段は、ロック機構がロック解除状態にあるときは操作部材の操作に応じてアクチュエータを駆動し、ロック機構がロック状態にあるときは操作部材の操作に応じたアクチュエータの駆動を行わない状態および警告動作を行う状態のうち少なくとも一方になるようにアクチュエータを制御することを特徴とする。
【手続補正４】
【補正対象書類名】明細書
【補正対象項目名】００１１
【補正方法】変更
【補正の内容】
【００１１】
さらに、本発明の他の一側面としての光学駆動プログラムは、手動操作が可能なレンズ側操作部材と、該レンズ側操作部材の動きを制限するロック状態および該制限を解除するロック解除状態とに切り替え可能なロック機構とを有する光学機器に対して取り外し可能に装着され、操作部材と、レンズ側操作部材を駆動するアクチュエータとを有する光学駆動装置のコンピュータを動作させるコンピュータプログラムであって、コンピュータに、ロック機構がロック解除状態にあるときは操作部材の操作に応じて前記アクチュエータを駆動させ、ロック機構がロック状態にあるときは操作部材の操作に応じたアクチュエータの駆動を行わない状態および警告動作を行う状態のうち少なくとも一方になるように前記アクチュエータを制御させることを特徴とする。
【手続補正５】
【補正対象書類名】明細書
【補正対象項目名】００１５
【補正方法】変更
【補正の内容】
【００１５】
図１には、本発明の実施例１である光学駆動装置としてのドライブアダプタ（以下、単にアダプタという）２００を示している。アダプタ２００は、交換レンズ１００のレンズ鏡筒に取り外し可能に装着される。交換レンズ１００は、撮像装置としてのカメラ３００に取り外し可能に装着される。カメラ３００、交換レンズ１００およびアダプタ２００によってカメラシステムが構成される。以下の説明では、図１に一点鎖線で示す軸を光軸とし、該光軸が延びる方向を光軸方向という。
【手続補正６】
【補正対象書類名】明細書
【補正対象項目名】００１８
【補正方法】変更
【補正の内容】
【００１８】
焦点検出部３０４は、画像信号の高周波成分から生成したコントラスト評価値信号が最大となるフォーカスレンズの位置を合焦位置として検出するコントラスト検出方式でのオートフォーカス（ＡＦ）を行う。また、焦点検出部３０４は、互いに視差を有する一対の像の位相差を用いて求めたデフォーカス量に対応する駆動量だけフォーカスレンズを移動させる位相差ＡＦを行ってもよい。
【手続補正７】
【補正対象書類名】明細書
【補正対象項目名】００２５
【補正方法】変更
【補正の内容】
【００２５】
ズーム駆動モータ２０２からの回転駆動力は、ギアユニット２０３を介して出力ギア２０４に伝達されてこれを回転させる。これにより、ズーム操作リング１３０が回転駆動されて、電動ズームが行われる。
【手続補正８】
【補正対象書類名】明細書
【補正対象項目名】００２８
【補正方法】変更
【補正の内容】
【００２８】
次に、図３のフローチャートを用いて本実施例においてアダプタＣＰＵ２０１が行う処理について説明する。コンピュータであるアダプタＣＰＵ２０１は、コンピュータプログラムであるレンズ駆動プログラム（光学駆動プログラム）に従って本処理を実行する。
【手続補正９】
【補正対象書類名】明細書
【補正対象項目名】００３６
【補正方法】変更
【補正の内容】
【００３６】
次に、本発明の実施例２であるアダプタ２００’について説明する。実施例１ではズームロックスイッチ１０９がロック状態にあるときにはアダプタ２００におけるズーム駆動モータ２０２の駆動を行わない場合について説明した。しかし、ズーム駆動モータ２０２の駆動を行わないだけでは何故、ズームスイッチ２０８を操作してもアダプタ２００による電動ズームが開始されないのかがユーザにとって分かりにくいおそれがある。
【手続補正１０】
【補正対象書類名】明細書
【補正対象項目名】００３７
【補正方法】変更
【補正の内容】
【００３７】
そこで、本実施例では、アダプタ２００′にＬＥＤ表示部２２０を設け、ズームロックスイッチ１０９がロック状態にあるときにズームスイッチ２０８が操作されることに応じて、ＬＥＤ表示部２２０を点灯または点滅させる、つまりは警告表示を行う。この際、ＬＥＤ表示部２２０の発光色を、アダプタ２００′の電源オン等を示す通常の発光色とは異なる警告表示専用の発光色にすることが好ましい。
【手続補正１１】
【補正対象書類名】明細書
【補正対象項目名】００４６
【補正方法】変更
【補正の内容】
【００４６】
上記実施例１，２では、ズームロックスイッチ１０９がロック状態にあるときにズームスイッチ２０８が操作されるとズーム駆動モータ２０２の駆動が行われない場合について説明した。しかし、ズーム駆動モータ２０２に通常より小さい駆動力を発生させつつ（またはほとんど駆動力が発生しない程度のモータ通電を行いつつ）、警告動作を行うようにしてもよい。